(57)【要約】【課題】目盛表示部の周縁が環状絞り部の周縁に正確に一致していなくても、見栄えが損なわれず、品質の向上が図れる計器用文字板構造を提供すること。【解決手段】文字板５に環状膨出突部１６が設けられ、環状膨出突部１６の内側に目盛１７ａが同心に設けられた目盛表示部１７を有すると共に、少なくとも前記目盛表示部１７とその周囲とに異なる彩色を施した計器用文字板構造となっている。また、環状膨出突部１６に見切線用環状溝１９ａが形成され、少なくとも前記見切線用環状溝１９ａ）に目盛表示部１７とその周囲の彩色との見切線２１を配置している。【選択図】  図３
2004309328.tif 000002
【特許請求の範囲】
【請求項１】
文字板に環状絞り部が設けられ、前記環状絞り部の内側に目盛が設けられた目盛表示部を有すると共に、少なくとも前記目盛表示部とその周囲とに異なる彩色を施した計器用文字板構造であって、
前記環状絞り部に見切線用環状溝が形成され、前記見切線用環状溝に前記目盛表示部とその周囲の彩色との見切線を配置したことを特徴とする計器用文字板構造。
【請求項２】
前記環状絞り部は目盛側の面から突出する環状膨出突部であると共に、前記環状膨出突部は環状内側壁及び環状外側壁を有し、前記環状内側壁及び環状外側壁に互いに接近する方向に膨出する第１，第２見切線用膨出突部がそれぞれ形成され、前記第１，第２見切線用膨出突部内に前記環状膨出突部の内周側及び外周側に開放する第１，第２見切線用環状溝が前記見切線用環状溝としてそれぞれ形成されていることを特徴とする請求項１に記載の計器用文字板構造。
【請求項３】
前記環状絞り部は目盛側の面とは反対側に突出する環状膨出突部であると共に、前記環状膨出突部内に環状凹部が形成され、前記環状凹部の周縁に前記見切線用環状溝が形成されていることを特徴とする請求項１に記載の計器用文字板構造。
【発明の詳細な説明】
【０００１】
【発明の属する技術分野】
この発明は、文字板に指針で指示される環状目盛が設けられている共に、この環状目盛の周縁に沿う環状絞り部が文字板に設けられた計器用文字板構造に関するものである。
【０００２】
【従来の技術】
従来から自動車等の車両では、例えば文字板に環状目盛又は円弧状目盛を設けると共に、この環状目盛を指針で指示するようにした速度計，回転計，燃料計，温度計等を設けた指針式計器を用いているのが普通である。
【０００３】
この指針式計器の文字板としては、例えば速度計や回転計等に対応する部分に環状突部を設け、この環状突部内に形成される円形凹部の底面周縁部に環状突部に沿う環状目盛を付して、指針による指示値の正確な読取りができるようにしたものが知られている。
【０００４】
しかも、この様な文字板では、環状突部の彩色を円形凹部内の彩色と異ならせることにより、指針による目盛の指示値を読みとり易くしたものも知られている。
【０００５】
この様な文字板では、例えば速度計や回転計等の部分に対応する目盛表示部にその周囲の部分と異なる彩色を印刷により施して、目盛表示部の周縁部に目盛を円弧状に付した後、目盛表示部の周縁部を環状に絞って環状膨出突部を形成することにより、指針による目盛の指示値を読みとり易くすることも行われている（例えば、特許文献１参照）。
【０００６】
ところで、この絞り加工に際しては、印刷による目盛表示部の周縁を環状膨出突部の周縁に一致させて、見栄えを良くすることにより品質の向上を図る必要がある。
【０００７】
【特許文献１】
登録実用新案第２５２３６９８号公報
【０００８】
【発明が解決しようとする課題】
しかしながら、目盛表示部の印刷がズレたり、絞り加工による環状膨出突部がズレたりすることもあり、印刷による目盛表示部の周縁を環状膨出突部（環状絞り部）の周縁に正確に一致させることは困難であった。
【０００９】
そこで、この発明は、目盛表示部の周縁が環状絞り部の周縁に正確に一致していなくても、見栄えが損なわれず、品質の向上が図れる計器用文字板構造を提供することを目的とするものである。
【００１０】
【課題を解決するための手段】
この目的を達成するため、請求項１に記載の発明の計器用文字板構造は、文字板に環状絞り部が設けられ、前記環状絞り部の内側に目盛が設けられた目盛表示部を有すると共に、少なくとも前記目盛表示部とその周囲とに異なる彩色を施した計器用文字板構造であって、前記環状絞り部に見切線用環状溝が形成され、前記見切線用環状溝に前記目盛表示部とその周囲の彩色との見切線を配置したことを特徴とする。
【００１１】
この構成によれば、環状絞り部に設けた見切線用環状溝に目盛表示部とその周囲の彩色との見切線を配置することで、この見切線の部分を隠すことができるので、目盛表示部の周縁が環状絞り部の周縁に正確に一致していなくても、即ち目盛表示部の印刷がズレたり、絞り加工による環状絞り部がズレたりしても、見切線により見栄えが損なわれことがなく、品質の向上を図ることができる。この場合、環状絞り部は環状膨出突部であっても良いし、環状凹部であっても良い。
【００１２】
また、請求項２の発明は、前記環状絞り部は目盛側の面から突出する環状膨出突部であると共に、前記環状膨出突部は環状内側壁及び環状外側壁を有し、前記環状内側壁及び環状外側壁に互いに接近する方向に膨出する第１，第２見切線用膨出突部がそれぞれ形成され、前記第１，第２見切線用膨出突部内に前記環状膨出突部の内周側及び外周側に開放する第１，第２見切線用環状溝が前記見切線用環状溝としてそれぞれ形成されていることを特徴とする。
【００１３】
この構成によれば、環状膨出突部に設けた第１見切線用環状溝に目盛表示部とその周囲の彩色との見切線を配置することで、この見切線の部分を隠すことができるので、目盛表示部の周縁が環状膨出突部の内周縁に正確に一致していなくても、即ち目盛表示部の印刷がズレたり、絞り加工による環状膨出突部がズレたりしても、見切線により見栄えが損なわれことがなく、品質の向上を図ることができる。
【００１４】
しかも、環状膨出突部に設けた第２見切線用環状溝に環状膨出突部とその周囲の彩色との見切線を配置することで、この見切線の部分を隠すことができるので、環状膨出突部の周囲の彩色と環状膨出突部の外周縁が正確に一致していなくても、環状膨出突部の周囲の彩色の印刷がズレたり、絞り加工による環状膨出突部がズレたりしても、見切線により見栄えが損なわれことがなく、品質の向上を図ることができる。
【００１５】
更に、請求項３の発明は、前記環状絞り部は目盛側の面とは反対側に突出する環状膨出突部であると共に、前記環状膨出突部内に環状凹部が形成され、前記環状凹部の周縁に前記見切線用環状溝が形成されていることを特徴とする。
【００１６】
この構成によれば、環状凹部の内周縁に設けた見切線用環状溝に目盛表示部とその周囲の彩色との見切線を配置することで、この見切線の部分を隠すことができるので、目盛表示部の周縁が環状凹部の周縁に正確に一致していなくても、即ち目盛表示部の印刷がズレたり、絞り加工による環状凹部がズレたりしても、見切線により見栄えが損なわれことがなく、品質の向上を図ることができる。
【００１７】
しかも、環状凹部の外周縁に設けた見切線用環状溝に環状凹部の彩色とその周囲の彩色との見切線を配置することで、この見切線の部分を隠すことができるので、環状凹部の彩色の外周縁と環状凹部の周囲の彩色との見切線が正確に一致していなくても、即ち目盛表示部の印刷がズレたり、絞り加工による環状凹部がズレたりしても、見切線により見栄えが損なわれことがなく、品質の向上を図ることができる。
【００１８】
【発明の実施の形態】
以下、この発明の実施の形態を図面に基づいて説明する。
【００１９】
図１は、自動車などの車両の前部に設けられる指針式計器１を示したものである。
【００２０】
この指針式計器１は、図２に示したように、基板取付凹部２ａが設けられたハウジング２（図１参照）と、基板取付凹部２ａの底面２ｂに当接させられた回路基板３と、周縁部が回路基板３に当接するシェード４と、シェード４の段部４ａに係合する導光板ＬＧを有する。このシェード４の周縁には、基板取付凹部２ａの開口端側に位置して文字板当接部４ｂが設けられている。
【００２１】
また、指針式計器１は、周縁部がシェード４の文字板当接部４ｂ及び導光板ＬＧに当接する透光可能な樹脂板製の文字板５と、一端が文字板５の周縁部に当接する環状の見返板６と、見返板６の他端に取り付けられて見返板６の他端開口を閉成する透明カバー７を有する。
【００２２】
更に、ハウジング２には、基板取付凹部２ａの底面２ｂに開口する配設空間８が形成されている。しかも、ハウジング２の周縁部には、爪挿通孔９及び爪係止部１０が形成されている。
【００２３】
また、見返板６は基板取付凹部２ａの周縁に沿って環状に延びており、この見返板６の基板取付凹部２ａ側の外側面には係止爪１１が一体に形成されている。そして、この見返板６とシェード４の周縁部の文字板当接部４ａとの間には文字板３の周縁部が配設されている。
【００２４】
しかも、係止爪１１は、爪挿通孔９に挿通されていると共に、先端の爪部１１ａがハウジング２の爪係止部１０に係止されている。これにより、見返板６は、ハウジング２に取り付けられていると共に、ハウジング２との間で回路基板３，シェード４，導光板ＬＧ及び文字板５を挟持固定している。
【００２５】
更に、指針式計器１は、図１に示したように速度計１２，回転計１３，燃料計１４及び水温計１５を有している。
（速度計１２）
この速度計１２は、図１〜図３（ａ）に示した様な文字板５に設けられた環状膨出突部（環状絞り部）１６と、環状膨出突部１６の内側に目盛１７ａ及び数字１７ｂの列が同心に設けられた目盛表示部１７を有する（図１、図４参照）。この環状膨出突部１６は目盛１７ａ側の面から突出している。しかも、この目盛表示部１７とその周縁の環状膨出突部１６は異なる彩色が施されている。また、環状膨出突部１６の周囲１８は環状膨出突部１６及び目盛表示部１７とは異なる彩色が施されている。
【００２６】
また、図３（ａ）に示したように環状膨出突部１６は環状内側壁１６ａ及び環状外側壁１６ｂを有する。この環状内側壁１６ａ及び環状外側壁１６ｂには互いに接近する方向に膨出する第１，第２見切線用膨出突部１９，２０が形成され、第１，第２見切線用膨出突部１９，２０には環状膨出突部１６の内周側及び外周側に開放する第１，第２見切線用環状溝１９ａ，２０ａが形成されている。
【００２７】
尚、環状膨出突部１６を設ける前の工程としては、例えば図４に示したように円形の目盛表示部１７を白色に印刷により彩色した後、目盛表示部１７の白色の部分に目盛１７ａ及び数字１７ｂの列を黒色で印刷させると共に、環状膨出突部１６となる環状彩色部Ｂを印刷により銀色に彩色し、環状膨出突部１６となる環状彩色部Ｂの周囲（斜線で示した部分）１８を印刷により黒色に彩色する。これにより、目盛表示部１７の周縁と環状彩色部Ｂとの間に境界線となる円形の見切線２１が形成され、環状彩色部Ｂとその周囲１８との間に境界線となる円形の見切線２２が形成される。
【００２８】
ここで、見切線２１，２２と同心で見切線２１より僅かに内側の円を第１内側溝絞り線Ｌ１とし、見切線２１，２２と同心で見切線２１より僅かに外側の円を第２内側溝絞り線Ｌ２とし、見切線２１，２２と同心で見切線２２より僅かに内側の円を第１外側溝絞り線Ｌ３とし、見切線２１，２２と同心で見切線２２より僅かに内側の円を第２外側溝絞り線Ｌ４とする。
【００２９】
そして、上述のように彩色を施した後、環状彩色部Ｂを絞り加工により目盛１７ａ側の面から突出させる。この際、第１見切線用環状溝１９ａは第１，第２内側溝絞り線Ｌ１，Ｌ２間に形成させ、第２見切線用環状溝２０ａは第１，第２外側溝絞り線Ｌ３，Ｌ４間に形成させる。
【００３０】
この様にすることで、第１見切線用環状溝１９ａ内には目盛表示部１７の彩色と環状膨出突部１６の彩色との見切線（境界線）２１が配置され、第２見切線用環状溝２０ａ内には環状膨出突部１６の彩色と環状膨出突部１６の周囲の彩色との見切線（境界線）２２が配置されている。
【００３１】
また、第１，第２見切線用環状溝１９ａ，２０ａは幅が非常に狭くなっているので、第１，第２見切線用環状溝１９ａ，２０ａ内は殆ど見えない状態となり、第１，第２見切線用環状溝１９ａ，２０ａ内の見切線２１，２２は外部から見えない状態となり、隣接する彩色がずれていても見栄えが損なわれることはない。例えば、図５に示すように目盛表示部１７の周縁１７ｂと環状彩色部Ｂの内周縁Ｂａがずれて、目盛表示部１７と環状彩色部Ｂが僅かに重なって、この重なり部分が見切線２１となっても、この見切線２１は第１見切線用環状溝１９ａ内に配置されるので、見切線２１は見えない状態となる。従って、目盛表示部１７やその周囲の品質が向上する。この作用・効果は第２見切線用環状溝２０ａ側でも同じである。
この作用・効果は、環状膨出突部１６の絞り加工時の僅かな位置ズレが生じても期待できる。
【００３２】
更に、速度計１２は、図配設空間８内に配設され且つ回路基板３に固定された軸回動装置２３と、軸回動装置２３により回動させられる指針軸２４を有する。この指針軸２４は、回路基板３，シェード４及び文字板５を貫通して目盛表示部１７側に突出している。そして、指針軸２４の先端部には指針２５が取り付けられている。
【００３３】
尚、軸回動装置２３には、例えば交差コイル式のムーブメントやステッピングモータなどを用いることができる。また、図示は省略したが、導光板ＬＧを介して回路基板３の背面を照明させるための光源が回路基板３に図示しない位置に設けられている。
（回転計１３，燃料計１４及び水温計１５）
この回転計１３，燃料計１４及び水温計１５にも速度計１２の環状膨出突部１６と同様な構造の環状膨出突部２６，２７，２８がそれぞれ設けられている。この環状膨出突部２６，２７，２８の構造は環状膨出突部１６の構造と同じであるのでその説明は省略する。
【００３４】
尚、図１中、２９は回転計１３の目盛表示部、２９ａは目盛表示部２９周縁に沿って設けられた目盛、２９ｂは目盛２９ａに沿って設けられた数字である。また、３０は燃料計１４の周縁に沿って設けられた目盛表示部、３０ａは目盛表示部３０の周縁に設けられた目盛、３０ｂは目盛３０の両端に設けられた文字である。また、３１は水温計１５の周縁に沿って設けられた目盛表示部、３１ａは目盛表示部３１の周縁に設けられた目盛、３１ｂは目盛３１ａの両端に設けられた文字である。
【００３５】
そして、３２は回転計１３の指針、３３は燃料計１４の指針、３４は水温計１５の指針である。
（変形例）
また、以上説明した実施例では、環状膨出突部１６を目盛１７ａ側の面から突出させるように絞り加工しているが、必ずしもこれに限定されるものではない。
【００３６】
例えば、図３（ｂ）に示したように、目盛表示部１７側とは反対側に膨出する環状膨出突部４０を目盛表示部１７の周縁１７ａに沿って設けることにより、環状膨出突部４０内に目盛表示部１７側の面に開口する環状凹部（環状溝）４１を形成すると共に、環状凹部４１の底部４１ａの内周縁部及び外周縁部に第１，第２見切線用環状溝４２，４３を設けて、この第１，第２見切線用環状溝４２，４３内に上述した見切線２１，２２を配設するようにしてもよい。
【００３７】
以上説明したように、この発明の実施の形態の計器用文字板構造は、文字板５に環状絞り部（環状膨出突部１６又は４０）が設けられ、前記環状絞り部（環状膨出突部１６又は４０）の内側に目盛１７ａが同心に設けられた目盛表示部１７を有すると共に、少なくとも前記目盛表示部１７とその周囲とに異なる彩色を施した計器用文字板構造となっている。また、前記環状絞り部（環状膨出突部１６又は４０）に見切線用環状溝（１９ａ又は４２）が形成され、少なくとも前記見切線用環状溝（１９ａ又は４２）に目盛表示部１７とその周囲の彩色との見切線２１を配置している。
【００３８】
この構成によれば、環状絞り部に設けた見切線用環状溝（１９ａ又は４２）に目盛表示部１７の周囲との彩色の見切線２１を配置することで、この見切線２１の部分を隠すことができるので、目盛表示部１７の周縁１７ａが環状絞り部（環状膨出突部１６又は４０）の周縁に正確に一致していなくても、即ち目盛表示部１７の印刷がズレたり、絞り加工による環状絞り部がズレたりしても、見切線２１により見栄えが損なわれことがなく、品質の向上を図ることができる。この場合、環状絞り部は環状膨出突部１６であっても良いし、環状凹部４１であっても良い。
【００３９】
また、この発明の実施の形態の計器用文字板構造では、前記環状絞り部は環状目盛側の面に膨出する環状膨出突部１６であると共に、前記環状膨出突部１６は環状内側壁１６ａ及び環状外側壁１６ｂを有し、前記環状内側壁１６ａ及び環状外側壁１６ｂに互いに接近する方向に膨出する第１，第２見切線用膨出突部１９，２０がそれぞれ形成され、前記第１，第２見切線用膨出突部１９，２０内に前記環状膨出突部の内周側及び外周側に開放する第１，第２見切線用環状溝１９ａ，２０ａが前記見切線用環状溝としてそれぞれ形成されている。
【００４０】
この構成によれば、環状膨出突部１６に設けた第１見切線用環状溝１９ａに目盛表示部１７とその周囲の彩色との見切線２１を配置することで、この見切線２１の部分を隠すことができるので、目盛表示部１７の周縁１７ａが環状膨出突部１６の内周縁に正確に一致していなくても、即ち目盛表示部１７の印刷がズレたり、絞り加工による環状膨出突部１６がズレたりしても、見切線２１により見栄えが損なわれことがなく、品質の向上を図ることができる。
【００４１】
しかも、環状膨出突部１６に設けた第２見切線用環状溝２０に環状膨出突部１６とその周囲の彩色との見切線２２を配置することで、この見切線２２の部分を隠すことができるので、環状膨出突部１６の周囲の彩色と環状膨出突部１６の外周縁が正確に一致していなくても、環状膨出突部１６の周囲の彩色の印刷がズレたり、絞り加工による環状膨出突部１６がズレたりしても、見切線２２により見栄えが損なわれことがなく、品質の向上を図ることができる。
【００４２】
更に、この発明の実施の形態の計器用文字板構造では、前記環状絞り部は環状目盛側の面とは反対側に膨出する環状膨出突部４０であると共に、前記環状膨出突部４０内に環状凹部４１が形成され、前記環状凹部４１の周縁に前記見切線用環状溝４２，４３が形成されている。
【００４３】
この構成によれば、環状凹部４１の内周縁に設けた見切線用環状溝４２に目盛表示部１７とその周囲の彩色との見切線２１を配置することで、この見切線２１の部分を隠すことができるので、目盛表示部１７の周縁が環状凹部４１の周縁に正確に一致していなくても、即ち目盛表示部１７の印刷がズレたり、絞り加工による環状凹部４１がズレたりしても、見切線２１により見栄えが損なわれことがなく、品質の向上を図ることができる。
【００４４】
しかも、環状凹部４１の外周縁に設けた見切線用環状溝４３に環状凹部の彩色とその周囲の彩色との見切線２２を配置することで、この見切線２２の部分を隠すことができるので、環状凹部４１の彩色の外周縁と環状凹部４１の周囲の彩色との見切線２２が正確に一致していなくても、即ち目盛表示部１７の印刷がズレたり、絞り加工による環状凹部４１がズレたりしても、見切線２１により見栄えが損なわれことがなく、品質の向上を図ることができる。
【００４５】
【発明の効果】
以上説明したように請求項１に記載の発明によれば、環状絞り部に設けた見切線用環状溝に目盛表示部とその周囲の彩色との見切線を配置することで、この見切線の部分を隠すことができるので、目盛表示部の周縁が環状絞り部の周縁に正確に一致していなくても、即ち目盛表示部の印刷がズレたり、絞り加工による環状絞り部がズレたりしても、見切線により見栄えが損なわれことがなく、品質の向上を図ることができる。
【００４６】
また、請求項２の発明によれば、環状膨出突部に設けた第１見切線用環状溝に目盛表示部とその周囲の彩色との見切線を配置することで、この見切線の部分を隠すことができるので、目盛表示部の周縁が環状膨出突部の内周縁に正確に一致していなくても、即ち目盛表示部の印刷がズレたり、絞り加工による環状膨出突部がズレたりしても、見切線により見栄えが損なわれことがなく、品質の向上を図ることができる。しかも、環状膨出突部に設けた第２見切線用環状溝に環状膨出突部とその周囲の彩色との見切線を配置することで、この見切線の部分を隠すことができるので、環状膨出突部の周囲の彩色と環状膨出突部の外周縁が正確に一致していなくても、環状膨出突部の周囲の彩色の印刷がズレたり、絞り加工による環状膨出突部がズレたりしても、見切線により見栄えが損なわれことがなく、品質の向上を図ることができる。
【００４７】
更に、請求項３の発明によれば、環状凹部の内周縁に設けた見切線用環状溝に目盛表示部とその周囲の彩色との見切線を配置することで、この見切線の部分を隠すことができるので、目盛表示部の周縁が環状凹部の周縁に正確に一致していなくても、即ち目盛表示部の印刷がズレたり、絞り加工による環状凹部がズレたりしても、見切線により見栄えが損なわれことがなく、品質の向上を図ることができる。しかも、環状凹部の外周縁に設けた見切線用環状溝に環状凹部の彩色とその周囲の彩色との見切線を配置することで、この見切線の部分を隠すことができるので、環状凹部の彩色の外周縁と環状凹部の周囲の彩色との見切線が正確に一致していなくても、即ち目盛表示部の印刷がズレたり、絞り加工による環状凹部がズレたりしても、見切線により見栄えが損なわれことがなく、品質の向上を図ることができる。
【図面の簡単な説明】
【図１】この発明にかかる自動車の指針式計器の正面図である。
【図２】図１のＡ１−Ａ１線に沿う断面図である。
【図３】（ａ）は図２の要部拡大説明図、（ｂ）は（ａ）の変形例を示す説明図である。
【図４】図１の速度計の環状膨出突部を設ける前の部分拡大説明図である。
【図５】図４の見切線の部分の部分拡大説明図である。
【符号の説明】
５…文字板
１６…環状膨出突部（環状絞り部）
１６ａ…環状内側壁
１６ｂ…環状外側壁
１７ａ…目盛
１７…目盛表示部
１９…第１見切線用膨出突部
１９ａ…第１見切線用環状溝
２０…第２見切線用膨出突部
２０ａ…第２見切線用環状溝
２１，２２…見切線
４０…環状膨出突部（環状絞り部）
４１…環状凹部
４２…第１見切線用環状溝
４３…第２見切線用環状溝
【図１】
2004309328.tif 000003
【図２】
2004309328.tif 000004
【図３】
2004309328.tif 000005
【図４】
2004309328.tif 000006
【図５】
2004309328.tif 000007